(57)【要約】  太陽電池装置に係る省資源、耐荷重の確保及び受光面積の拡大を図る。この目的を達成するために、太陽電池装置は、第１、２端部と第１、２主面を有する太陽電池モジュール、第１溝部を含む第１保持具及び第２溝部を含む第２保持具を備える。第１溝部は、第１主面に対向する第１前面部、第２主面に対向する第１背面部及びそれらを繋ぐ第１側面部を含む。第２挿入溝部は、第１主面に対向する第２前面部、第２主面に対向する第２背面部及びそれらを繋ぐ第２側面部を含む。第１溝部では、第１前面部の第２保持具側の端部と第１背面部との第１間隔よりも第１側面部側の第２間隔が、第１前面部を第２保持具側に仮想的に延長した面と第１背面部との第３間隔及び第１間隔の少なくとも一方よりも大きい。第１端部と第２端部との距離は、第１前面部の第２保持具側の端部と第２側面部との距離よりも長く、第１側面部と第２前面部の第１保持具側の端部との距離よりも短い。
2013180275.tif 000002
【特許請求の範囲】
【請求項１】
第１端部、該第１端部の反対側に位置する第２端部、第１主面および該第１主面の裏面側の第２主面を有する太陽電池モジュールと、
該太陽電池モジュールの前記第１端部が挿入された第１溝部を含む第１保持具と、
前記太陽電池モジュールの前記第２端部が挿入された第２溝部を含む第２保持具とを備え、
前記第１溝部は、前記第１主面に対向する第１前面部と、前記第２主面に対向する第１背面部と、前記第１前面部および前記第１背面部を繋ぐ第１側面部とを含み、
前記第２溝部は、前記第１主面に対向する第２前面部と、前記第２主面に対向する第２背面部と、前記第２前面部および前記第２背面部を繋ぐ第２側面部とを含み、
前記第１溝部は、前記第１前面部の前記第２保持具側の端部が前記第１背面部の前記第２保持具側の端部よりも前記第１側面部側に位置しているとともに、前記太陽電池モジュールの厚さ方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有しており、
前記第２間隔は、前記第１前面部を前記第２保持具側に仮想的に延長した延長面と前記第１背面部の前記第２保持具側の端部との前記厚さ方向における第３間隔および前記第１間隔の少なくとも一方よりも大きく、
前記第１端部と前記第２端部との間の第１距離は、前記第１前面部の前記第２保持具側の端部と前記第２側面部との間の第２距離よりも長く、且つ前記第１側面部と前記第２前面部の前記第１保持具側の端部との間の第３距離よりも短い太陽電池装置。
【請求項２】
前記第１背面部は、前記第１前面部の前記第２保持具側の端部に対向する部分から前記第１側面部に向かうにつれて前記第１前面部との間隔が大きくなる傾斜部を含む請求項１に記載の太陽電池装置。
【請求項３】
前記第１端部は、前記第１溝部において前記第１側面部から離れており、
前記第１前面部は、前記第２保持具側の端部と前記第１側面部側の基部との間の部分において、前記第１主面の仮想的な延長面よりも前記第１背面部側に突出している突起部を含み、
前記第２前面部の前記第１保持具側の端部と前記突起部との間の第４距離は、前記第１距離未満であり、
前記第１背面部は、前記突起部に対向する部分から前記第１背面部の前記第２保持具側の端部までの間において、前記突起部の突出方向に弾性変形する弾性部を含む請求項１又は請求項２に記載の太陽電池装置。
【請求項４】
前記第２保持具は、前記第２背面部の前記第１保持具側の端部から前記第２前面部と反対側に延在する延在部を有するとともに、該延在部から前記第１保持具側に張り出した張出部を有する請求項１から請求項３の何れか１つの請求項に記載の太陽電池装置。
【請求項５】
太陽電池モジュールの第１端部の第１方向への挿入を受け付ける第１溝部を含む第１保持具と、
前記太陽電池モジュールの前記第１端部とは反対側の第２端部の第２方向への挿入を受け付ける第２溝部を含む第２保持具とを備え、
前記第１溝部は、前記太陽電池モジュールの第１主面に対向する第１前面部と、前記第１主面の裏面側の第２主面に対向する第１背面部と、前記第１前面部および前記第１背面部を繋ぐ第１側面部とを含み、
前記第２溝部は、前記第１主面に対向する第２前面部と、前記第２主面に対向する第２背面部と、前記第２前面部および前記第２背面部を繋ぐ第２側面部とを含み、
前記第１溝部は、前記第１前面部の前記第２保持具側の端部が前記第１背面部の前記第２保持具側の端部よりも前記第１側面部側に位置しているとともに、前記第１前面部から前記第１背面部に向けた第３方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有しており、
前記第２間隔は、前記第１前面部を前記第２保持具側に仮想的に延長した延長面と前記第１背面部の前記第２保持具側の端部との前記第３方向における第３間隔および前記第１間隔の少なくとも一方よりも大きく、
前記第１方向における前記第１前面部の前記第２保持具側の端部から前記第１側面部までの前記第１溝部の第１深さは、前記第２方向における前記第２前面部の前記第１保持具側の端部から前記第２側面部までの前記第２溝部の第２深さよりも大きい保持具ユニット。
【請求項６】
前記第１保持具と前記第２保持具とを連結する連結部材をさらに備える請求項５に記載の保持具ユニット。
【請求項７】
前記第１背面部は、前記第１前面部の前記第２保持具側の端部に対向する部分から前記第１側面部に向かうにつれて前記第１前面部との間隔が大きくなる傾斜部を含む請求項５又は請求項６に記載の保持具ユニット。
【請求項８】
前記第１前面部は、前記第２保持具側の端部と前記第１側面部側の基部との間の部分において、前記第３方向に突出している突起部を含み、
前記第１背面部は、前記突起部に対向する部分から前記第２保持具側の端部までの間において、前記突起部の突出方向に弾性変形する弾性部を含む請求項５から請求項７の何れか１つの請求項に記載の保持具ユニット。
【請求項９】
前記第２保持具は、前記第２背面部の前記第１保持具側の端部から前記第２前面部と反対側に延在する延在部を有するとともに、該延在部から前記第１保持具側に張り出した張出部を有する請求項５から請求項８の何れか１つの請求項に記載の保持具ユニット。
【発明の詳細な説明】
【技術分野】
【０００１】
本発明は、太陽電池装置および保持具ユニットに関する。
【背景技術】
【０００２】
太陽電池装置は、太陽電池モジュールの保持具における部材の点数の低減と、太陽電池装置の取り付け工事における工数の低減とを求められている。【０００３】
そこで、引き戸が鴨居と敷居との間に嵌められる際と同様な手順で、太陽電池モジュールが架台の上方に配された嵌合溝と下方に配された嵌合溝との間に嵌められる技術が提案されている（例えば、特許文献１等）。この技術では、太陽電池モジュールの枠材の一端の厚み方向の中間から突出される挿入凸部が、支持台における棟側の下向き溝に対して斜めに挿入される。
【先行技術文献】
【特許文献】
【０００４】
【特許文献１】国際公開第２００２／０４１４０７号
【発明の概要】
【発明が解決しようとする課題】
【０００５】
ところで、太陽電池モジュールの枠材の薄型化による省資源ならびに太陽電池モジュールの軽量化等が求められている。しかしながら、枠材の薄型化が図られると、上記特許文献１の技術のように、枠材の厚み方向の中間に、挿入凸部を配置することが難しい。仮に、挿入凸部が配置される場合には、挿入凸部が過度に薄くなり、太陽電池モジュールに荷重が加わった際に、挿入凸部が破損し易い。【０００６】
また、上記特許文献１の技術では、挿入凸部が挿入される下向き溝を有する保持具の大型化を招く。これにより、太陽電池装置の受光面側において、太陽電池モジュールが配置されていない領域が増大する。【０００７】
そこで、省資源、耐荷重の確保および発電に供する受光面積の拡大が実現され得る太陽電池装置および保持具ユニットが望まれている。
【課題を解決するための手段】
【０００８】
上記課題を解決するために、一態様に係る太陽電池装置は、第１端部、該第１端部の反対側に位置する第２端部、第１主面および該第１主面の裏面側の第２主面を有する太陽電池モジュールと、該太陽電池モジュールの前記第１端部が挿入された第１溝部を含む第１保持具と、前記太陽電池モジュールの前記第２端部が挿入された第２溝部を含む第２保持具とを備えている。そして、該太陽電池装置において、前記第１溝部は、前記第１主面に対向する第１前面部と、前記第２主面に対向する第１背面部と、前記第１前面部および前記第１背面部を繋ぐ第１側面部とを含んでいる。また、該太陽電池装置において、前記第２溝部は、前記第１主面に対向する第２前面部と、前記第２主面に対向する第２背面部と、前記第２前面部および前記第２背面部を繋ぐ第２側面部とを含んでいる。また、該太陽電池装置において、前記第１溝部は、前記第１前面部の前記第２保持具側の端部が前記第１背面部の前記第２保持具側の端部よりも前記第１側面部側に位置しているとともに、前記太陽電池モジュールの厚さ方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有している。また、該太陽電池装置において、前記第２間隔は、前記第１前面部を前記第２保持具側に仮想的に延長した延長面と前記第１背面部の前記第２保持具側の端部との前記厚さ方向における第３間隔および前記第１間隔の少なくとも一方よりも大きい。さらに、該太陽電池装置において、前記第１端部と前記第２端部との間の第１距離は、前記第１前面部の前記第２保持具側の端部と前記第２側面部との間の第２距離よりも長く、且つ前記第１側面部と前記第２前面部の前記第１保持具側の端部との間の第３距離よりも短い。【０００９】
一態様に係る保持具ユニットは、太陽電池モジュールの第１端部の第１方向への挿入を受け付ける第１溝部を含む第１保持具と、前記太陽電池モジュールの前記第１端部とは反対側の第２端部の第２方向への挿入を受け付ける第２溝部を含む第２保持具とを備えている。そして、該保持具ユニットにおいて、前記第１溝部は、前記太陽電池モジュールの第１主面に対向する第１前面部と、前記第１主面の裏面側の第２主面に対向する第１背面部と、前記第１前面部および前記第１背面部を繋ぐ第１側面部とを含んでいる。また、該保持具ユニットにおいて、前記第２溝部は、前記第１主面に対向する第２前面部と、前記第２主面に対向する第２背面部と、前記第２前面部および前記第２背面部を繋ぐ第２側面部とを含んでいる。また、該保持具ユニットにおいて、前記第１溝部は、前記第１前面部の前記第２保持具側の端部が前記第１背面部の前記第２保持具側の端部よりも前記第１側面部側に位置しているとともに、前記第１前面部から前記第１背面部に向けた第３方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有している。また、該保持具ユニットにおいて、前記第２間隔は、前記第１前面部を前記第２保持具側に仮想的に延長した延長面と前記第１背面部の前記第２保持具側の端部との前記第３方向における第３間隔および前記第１間隔の少なくとも一方よりも大きい。さらに、該保持具ユニットにおいて、前記第１方向における前記第１前面部の前記第２保持具側の端部から前記第１側面部までの前記第１溝部の第１深さは、前記第２方向における前記第２前面部の前記第１保持具側の端部から前記第２側面部までの前記第２溝部の第２深さよりも大きい。
【発明の効果】
【００１０】
一態様に係る太陽電池装置によれば、省資源、耐荷重の確保および発電に供する受光面積の拡大が実現され得る。【００１１】
また、一態様に係る保持具ユニットによれば、太陽電池装置における省資源、耐荷重の確保および発電に供する受光面積の拡大が実現され得る。
【図面の簡単な説明】
【００１２】
【図１】一実施形態に係る太陽電池装置の一構成例を模式的に示す斜視図である。
【図２】一実施形態に係る取付ユニットの一構成例を模式的に示す斜視図である。
【図３】一実施形態に係る取付ユニットの一部を模式的に示す分解斜視図である。
【図４】一実施形態に係る取付ユニットの一部を模式的に示す斜視図である。
【図５】太陽電池モジュールの一構成例を模式的に示す平面図である。
【図６】図５にて一点鎖線VI−VIで示した位置におけるＸＺ断面を示す図である。
【図７】太陽電池モジュールの一構成例を簡易的に示す断面図である。
【図８】一実施形態に係る保持具ユニットの一構成例を模式的に示す断面図である。
【図９】一実施形態に係る保持具の一構成例を模式的に示す断面図である。
【図１０】保持具の配設間隔を設定する様子を例示する断面図である。
【図１１】太陽電池モジュールが保持具に取り付けられる様子を示す断面図である。
【図１２】太陽電池モジュールが保持具に取り付けられる様子を示す断面図である。
【図１３】太陽電池モジュールが保持具に取り付けられる様子を示す断面図である。
【図１４】第１変形例に係る保持具の一構成例を模式的に示す断面図である。
【図１５】第１変形例に係る保持具ユニットの一構成例を模式的に示す断面図である。
【図１６】第１変形例に係る保持具に太陽電池モジュールが取り付けられる様子を示す断面図である。
【図１７】第１変形例に係る保持具に太陽電池モジュールが取り付けられる様子を示す断面図である。
【図１８】第１変形例に係る保持具に太陽電池モジュールが取り付けられる様子を示す断面図である。
【図１９】第２変形例に係る保持具に太陽電池モジュールが取り付けられる様子を示す断面図である。
【図２０】第２変形例に係る保持具に太陽電池モジュールが取り付けられる様子を示す断面図である。
【図２１】第２変形例に係る保持具に太陽電池モジュールが取り付けられる様子を示す断面図である。
【図２２】第３変形例に係る保持具に太陽電池モジュールが取り付けられる様子を示す断面図である。
【図２３】第３変形例に係る保持具に太陽電池モジュールが取り付けられる様子を示す断面図である。
【図２４】第３変形例に係る保持具に太陽電池モジュールが取り付けられる様子を示す断面図である。
【図２５】第３変形例に係る取付ユニットの一部を模式的に示す斜視図である。
【発明を実施するための形態】
【００１３】
以下、本発明の一実施形態および各種変形例について図面を参照しつつ説明する。なお、図１から図２５には、屋根２の下端にあたる軒の延在方向を＋Ｘ方向とし、この軒から屋根の最も高い部分にあたる棟に向けた方向を＋Ｙ方向とする右手系のＸＹＺ座標系が付されている。また、図１、図２、図８および図１５には、屋根２の軒から棟に向けた＋Ｙ方向に相当する第１方向が矢印Ｄｒ１で示され、屋根２の棟から軒に向けた−Ｙ方向に相当する第２方向が矢印Ｄｒ２で示されている。さらに、図９および図１４では、太陽電池装置１において太陽電池モジュール１０が配される領域の外縁が破線で描かれている。
【００１４】
＜(１)一実施形態＞
＜(１−１)太陽電池装置の概要＞
図１で示されるように、太陽電池装置１は、屋根２上に配置されている。そして、太陽電池装置１は、取付ユニット３と１以上（ここでは、７枚）の太陽電池モジュール１０とを備えている。
【００１５】
図１および図２で示されるように、取付ユニット３は、複数本の固定部材３６および複数本の保持具３１〜３５を備えている。
【００１６】
固定部材３６は、Ｙ軸に沿って延在している部材である。固定部材３６は、屋根２上に設置された状態で、例えば、屋根２の野地板等を貫通している木ネジ等の部品によって垂木に固定されている。図１および図２では、相互に離隔している平行な２本の固定部材３６が一組とされ、５組の固定部材３６が棟から軒に向けて順に設置されている。また、図３に示されるように、固定部材３６は、Ｙ軸に平行な中空部分３６ＳＰを有する四角筒状の部材である。固定部材３６には、＋Ｚ側にＹ軸に沿って延在するスリット部３６ＳＬが配されている。
【００１７】
保持具３１〜３５は、太陽電池モジュール１０を保持するための略棒状の部材である。具体的には、保持具３１は、棟側から１組目の固定部材３６における＋Ｘ側の固定部材３６から−Ｘ側の固定部材３６へ架け渡されている。保持具３２は、棟側から２組目の固定部材３６における＋Ｘ側の固定部材３６から−Ｘ側の固定部材３６へ架け渡されている。同様に保持具３３、保持具３４および保持具３５は、棟側からそれぞれ３組目、４組目、５組目の固定部材３６における＋Ｘ側の固定部材３６から−Ｘ側の固定部材３６へ架け渡されている。
【００１８】
各固定部材３６に各保持具３１〜３５が固定される態様は同様である。保持具３２が固定される態様を代表例として示す。図３および図４で示されるように、各保持具３１〜３５は、各固定部材３６のスリット部３６ＳＬが利用されて固定金具３７，３８およびネジ３９によって各固定部材３６に固定されている。これにより、５本の保持具３１〜３５がＸ軸に対して略平行に延在し、且つ棟側から軒側に向けて順に配されている。
【００１９】
そして、図１および図２で示されるように、保持具３１と保持具３２とを含む保持具ユニット３０ａに１枚の太陽電池モジュール１０が取り付けられている。また、保持具３２と保持具３３とを含む保持具ユニット３０ｂに２枚の太陽電池モジュール１０が取り付けられている。また、保持具３３と保持具３４とを含む保持具ユニット３０ｃに２枚の太陽電池モジュール１０が取り付けられている。さらに、保持具３４と保持具３５とを含む保持具ユニット３０ｄに２枚の太陽電池モジュール１０が取り付けられている。これにより、複数の太陽電池モジュール１０が配列された状態となっている。
【００２０】
＜(１−２)太陽電池モジュール＞
図５で示されるように、例えば、太陽電池モジュール１０は、配線部材１２によって電気的に直列に接続されている複数の太陽電池素子１１を備える。そして、例えば、複数の太陽電池モジュール１０が組み合わされることで、実用的な電気出力が取り出される。
【００２１】
図５および図６で示されるように、太陽電池モジュール１０は、例えば、透明部材１３、表側充填材１４、複数の太陽電池素子１１、配線部材１２、裏側充填材１５および裏面保護材１６が積層された積層体を備えている。
【００２２】
ここで、透明部材１３は、太陽電池モジュール１０のうちの入射光を受光する面（受光面とも言う）を保護するための透明な平板状の部材である。透明部材１３の材料としては、例えば、ガラス等が採用される。表側充填材１４および裏側充填材１５は、例えば、透明な充填剤であればよい。表側充填材１４および裏側充填材１５の材料としては、例えば、エチレン・酢酸ビニル共重合体（ＥＶＡ）等が採用される。裏面保護材１６は、太陽電池モジュール１０を裏面から保護するための部材である。裏面保護材１６の材料としては、例えば、ポリエチレンテレフタレート（ＰＥＴ）またはポリフッ化ビニル樹脂（ＰＶＦ）等が採用される。
【００２３】
電気的に直列に接続されている複数の太陽電池素子１１のうち、最初の太陽電池素子１１の電極の一端と最後の太陽電池素子１１の電極の一端は、図示を省略する出力取出配線によって、それぞれ出力取出部としての端子ボックス１７に電気的に接続されている。さらに、太陽電池モジュール１０は、上記積層体を周囲から保持する枠体１８を備えている。枠体１８の材料としては、例えば、耐食性および強度を備えたアルミニウム合金等が採用される。
【００２４】
また、太陽電池モジュール１０は、主面の一方向における一端側としての＋Ｙ側に位置する端部（第１端部とも言う）１０ｆｅ、および第１端部１０ｆｅとは反対側である他端側としての−Ｙ側に位置する端部（第２端部とも言う）１０ｓｅを有している。なお、主面の一方向は、例えば、主面の短手方向であればよい。ここで、第１端部１０ｆｅと第２端部１０ｓｅとの間の距離は、第１距離Ｄ１である。また、太陽電池モジュール１０は、受光面としての一主面（第１主面とも言う）１０ｆｓと、この第１主面１０ｆｓの裏面側に位置する面（非受光面とも言う）としての他主面（第２主面とも言う）１０ｓｓとを有している。また、太陽電池モジュール１０の厚みは、厚みＴ１である。なお、厚みＴ１は、例えば、６．４ｍｍ程度であればよく、第１主面１０ｆｓにおける枠体１８の幅は、例えば、８ｍｍ程度であればよい。
【００２５】
＜(１−３)保持具ユニット＞
＜(１−３−１)保持具ユニットの概略構成＞
各保持具ユニット３０ａ〜３０ｄは、例えば、相互に同様な構成を有していればよい。このため、ここでは、一例として、保持具３２と保持具３３とを含む保持具ユニット３０ｂについて説明する。また、保持具３１〜３５は、例えば、相互に同様な構成を有していればよい。このため、ここでは、適宜、一例としての保持具３２について説明する。
【００２６】
図８で示されるように、保持具ユニット３０ｂは、第１保持具としての保持具３２および第２保持具としての保持具３３を備えている。
【００２７】
＜(１−３−２)保持具の概略構成＞
図９で示されるように、保持具３１〜３５は、−Ｙ方向に向けて開口した溝部（第１溝部とも言う）１００を備えている。例えば、保持具３１，３２，３３，３４の第１溝部１００は、それぞれ保持具３２，３３，３４，３５に向けて開口している。そして、保持具３１〜３４の第１溝部１００は、太陽電池モジュール１０の第１端部１０ｆｅの第１方向Ｄｒ１への挿入をそれぞれ受け付ける。
【００２８】
また、保持具３１〜３５は、＋Ｙ方向に向けて開口した溝部（第２溝部とも言う）２００を備えている。例えば、保持具３２，３３，３４，３５の第２溝部２００は、それぞれ保持具３１，３２，３３，３４に向けて開口している。そして、保持具３２〜３５の第２溝部２００は、太陽電池モジュール１０の第２端部１０ｓｅの第２方向Ｄｒ２への挿入をそれぞれ受け付ける。
【００２９】
＜(１−３−３)第１溝部の構成＞
図９で示されるように、第１溝部１００は、＋Ｚ側に位置する第１前面部１０１と、−Ｚ側に位置する第１背面部１０２と、＋Ｙ側に位置する第１側面部１０３とを含んでいる。第１前面部１０１は、太陽電池モジュール１０の受光面側の第１主面１０ｆｓに対向する。ここで、第１前面部１０１は、＋Ｙ側に位置する基部１０１ｂから−Ｙ側に位置する端部１０１ｅにかけて延在する延在部１０１ｃを有している。また、第１背面部１０２は、太陽電池モジュール１０のうちの第１主面１０ｆｓの裏面側の第２主面１０ｓｓに対向する。すなわち、第１溝部１００は、第１前面部１０１と第１背面部１０２とが相互に対向する配置関係を有している。さらに、第１側面部１０３は、第１前面部１０１と第１背面部１０２とを繋いでいる。このため、第１溝部１００では、第１前面部１０１と第１背面部１０２と第１側面部１０３とによって内部空間１００ＩＳが形成されている。
【００３０】
そして、図９の破線で示されるように、太陽電池装置１では、第１溝部１００に太陽電池モジュール１０が挿入されている。第１背面部１０２は、太陽電池モジュール１０を第２主面１０ｓｓ側から支持する部分（第１支持部とも言う）として働く。また、第１前面部１０１は、太陽電池モジュール１０が第１溝部１００から外れることを抑制する部分（第１外れ抑制部とも言う）として働く。
【００３１】
また、例えば、第１溝部１００では、第１前面部１０１から第１背面部１０２に向けた第３方向としての−Ｚ方向における第１前面部１０１と第１背面部１０２との間隔が、内部空間１００ＩＳの内部において大きくなっている。なお、太陽電池装置１では、第３方向は、太陽電池モジュール１０の厚み方向に相当する。
【００３２】
具体的には、第１溝部１００は、端部１０１ｅと該端部１０１ｅに対向する第１背面部１０２との間に位置するＺ方向の間隔（第１間隔とも言う）Ｇ１を有している。第１間隔Ｇ１は、太陽電池モジュール１０の厚みＴ１よりも大きい。そして、第１溝部１００は、第１間隔Ｇ１よりも第１側面部１０３側に位置するＺ方向の間隔（第２間隔とも言う）Ｇ２を有している。第２間隔Ｇ２は、第１間隔Ｇ１と同様に、第１前面部１０１と第１背面部１０２との間におけるＺ方向の間隔である。そして、第２間隔Ｇ２は、第１間隔Ｇ１よりも大きい。より具体的には、第２間隔Ｇ２は、第１間隔Ｇ１と比較して、−Ｚ方向に大きい。例えば、太陽電池モジュール１０の厚みＴ１が６．４ｍｍである場合に、第１間隔Ｇ１が約７ｍｍであり、第２間隔Ｇ２が約９ｍｍであるような態様が採用され得る。
【００３３】
このような第１溝部１００の構成により、図１１と図１２に示されるように、太陽電池モジュール１０が、第１端部１０ｆｅよりも第２端部１０ｓｅの方が＋Ｚ側に位置するように傾けられた状態で、第１溝部１００に挿入され得る。さらに、その後、太陽電池モジュール１０のうちの第１背面部１０２との当接部分が支点とされて、第２端部１０ｓｅが−Ｚ方向に移動するように、太陽電池モジュール１０が若干回転され得る。
【００３４】
ここで、第１前面部１０１と第１背面部１０２との間隔は、第１側面部１０３に近づくにつれて、−Ｚ方向に徐々に大きくなってもよいし、段階的に大きくなってもよい。仮に、第１背面部１０２が、端部１０１ｅに対向する部分から第１側面部１０３に向かうにつれて第１前面部１０１との間隔が大きくなるように設けられた傾斜部１０２ｓを含んでいれば、第１溝部１００に太陽電池モジュール１０が円滑に挿入され得る。これにより、太陽電池モジュール１０の破損が生じ難い。
【００３５】
なお、図９では、第１背面部１０２が、第１側面部１０３側から−Ｙ側に向かって、第１区間としての第１平坦部１０２ｆと、第２区間としての傾斜部１０２ｓと、第３区間としての第２平坦部１０２ｔとを備えている一例が示されている。この場合は、太陽電池装置１において、第１側面部１０３に近づくにつれて、太陽電池モジュール１０から傾斜部１０２ｓまでの距離は大きくなる。
【００３６】
なお、図９では、第１前面部１０１を−Ｙ方向に仮想的に延長した延長面と、第１背面部１０２との間隔（第３間隔とも言う）Ｇ３よりも、第１間隔Ｇ１が大きい構成例が示されている。より具体的には、第１間隔Ｇ１は、第３間隔Ｇ３と比較して−Ｚ方向に大きい。
【００３７】
また、第１背面部１０２の−Ｙ側の端部１０２ｅが、第１前面部１０１の端部１０１ｅよりも−Ｙ側に位置していれば、太陽電池モジュール１０の第１端部１０ｆｅを、第１背面部１０２上の第２平坦部１０２ｔに置いた後に、第１溝部１００に挿入することができる。このとき、ある程度の重量を有する太陽電池モジュール１０が第２平坦部１０２ｔによって支持されるため、太陽電池モジュール１０を第１溝部１００に挿入する作業が容易となる。
【００３８】
具体的には、例えば、保持具３１において端部１０２ｅが端部１０１ｅよりも保持具３２側に位置していれば、保持具３１の第１溝部１００に太陽電池モジュール１０を挿入する作業が容易となる。このことは、保持具３２，３３，３４でも同様である。なお、例えば、第１背面部１０２の端部１０２ｅが、第１前面部１０１の端部１０１ｅよりも９ｍｍ程度−Ｙ側に位置する態様が考えられ得る。
【００３９】
ところで、太陽電池モジュール１０が、第１溝部１００および第２溝部２００に挿入されることで保持具ユニット３０ｂに取り付けられている状態では、太陽電池モジュール１０の第２主面１０ｓｓは、第１背面部１０２に当接する。このとき、太陽電池モジュール１０の第１主面１０ｆｓと第１前面部１０１との離隔距離が零に近ければ近い程、風等によって太陽電池モジュール１０が第１溝部１００内で細かく振動して騒音が発生してしまう不具合が生じ難い。つまり、太陽電池モジュール１０の厚み方向に相当する＋Ｚ方向における第１背面部１０２と第１前面部１０１との距離（第１開口高さとも言う）が、太陽電池モジュール１０の厚みＴ１と略同一であればよい。この場合は、太陽電池モジュール１０が、保持具ユニット３２ｂによって安定して保持される。
【００４０】
但し、第１開口高さが、太陽電池モジュール１０の厚みＴ１よりも若干大きければ、第１溝部１００の内部空間１００ＩＳで第１端部１０ｆｅを−Ｙ方向にずらしながら第２端部１０ｓｅを第２溝部２００に挿入する作業が容易である。例えば、太陽電池モジュール１０の厚みＴ１が約６．４ｍｍである場合には、第１開口高さが６．８ｍｍ程度である態様が考えられる。
【００４１】
＜(１−３−４)第２溝部の構成＞
第２溝部２００は、＋Ｚ側に位置する第２前面部２０１と、−Ｚ側に位置する第２背面部２０２と、−Ｙ側に位置する第２側面部２０３とを含んでいる。第２前面部２０１は、太陽電池モジュール１０の第１主面１０ｆｓに対向する。第２背面部２０２は、太陽電池モジュール１０の第２主面１０ｓｓに対向する。すなわち、第２溝部２００は、第２前面部２０１と第２背面部２０２とが相互に対向する配置関係を有している。また、第２側面部２０３は、第２前面部２０１と第２背面部２０２とを繋いでいる。このため、第２溝部２００では、第２前面部２０１と第２背面部２０２と第２側面部２０３とによって内部空間２００ＩＳが形成されている。
【００４２】
そして、図９の破線で示されるように、太陽電池装置１では、第２溝部２００に太陽電池モジュール１０が挿入されている。第２背面部２０２は、太陽電池モジュール１０を第２主面１０ｓｓ側から支持する部分（第２支持部とも言う）として働く。また、第２前面部２０１は、太陽電池モジュール１０が第２溝部２００から外れることを抑制する部分（第２外れ抑制部とも言う）として働く。
【００４３】
ところで、太陽電池モジュール１０が、第１溝部１００および第２溝部２００に挿入されることで保持具ユニット３０ｂに取り付けられている場合、太陽電池モジュール１０の第２主面１０ｓｓは、第２背面部２０２に当接する。このとき、太陽電池モジュール１０の第１主面１０ｆｓと第２前面部２０１との離隔距離が零に近ければ近い程、風等によって太陽電池モジュール１０が第２溝部２００内で細かく振動して騒音が発生してしまう不具合が生じ難い。つまり、太陽電池モジュール１０の厚み方向に相当する＋Ｚ方向における第２背面部２０２と第２前面部２０１との距離（第２開口高さとも言う）が、太陽電池モジュール１０の厚みＴ１と略同一であればよい。この場合には、太陽電池モジュール１０が、保持具ユニット３２ｂによって安定して保持される。
【００４４】
但し、第２開口高さが、太陽電池モジュール１０の厚みＴ１よりも若干大きければ、第２溝部２００に第２端部１０ｓｅを−Ｙ方向に挿入する作業が容易である。例えば、太陽電池モジュール１０の厚みＴ１が約６．４ｍｍである場合、第２開口高さが６．８ｍｍ程度である態様が考えられる。
【００４５】
また、図９で示されるように、第２保持具としての各保持具３２〜３５は、第２背面部２０２の＋Ｙ側の端部２０２ｅから第２前面部２０１とは反対側である−Ｚ方向に延在する延在部３００を有している。そして、各保持具３２〜３５は、延在部３００から第１保持具としての各保持具３１〜３４側に張り出した張出部４００を有している。この延在部３００および張出部４００は、各保持具ユニット３０ａ〜３０ｄにおける第１保持具としての保持具３１〜３４と第２保持具としての保持具３２〜３５との間の距離の設定に用いられ得る。
【００４６】
＜(１−３−５)保持具ユニットにおける寸法関係＞
図８および図９で示されるように、第１溝部１００は、第１方向Ｄｒ１における端部１０１ｅから第１側面部１０３までの深さ（第１深さとも言う）Ｄｐ１を有している。第２溝部２００は、第２方向Ｄｒ２における第２前面部２０１の＋Ｙ側の端部２０１ｅから第２側面部２０３までの深さ（第２深さとも言う）Ｄｐ２を有している。このとき、第１深さＤｐ１は、第２深さＤｐ２よりも大きい。
【００４７】
そして、太陽電池モジュール１０の第１端部１０ｆｅと第２端部１０ｓｅとの第１距離Ｄ１は、保持具３２の第１前面部１０１の端部１０１ｅと保持具３３の第２側面部２０３との間の距離（第２距離とも言う）Ｄ２よりも長い。また、第１距離Ｄ１は、保持具３３の第２前面部２０１の端部２０１ｅと保持具３２の第１側面部１０３との間の距離（第３距離とも言う）Ｄ３よりも短い。これにより、太陽電池モジュール１０の第１端部１０ｆｅを保持具３２の第１溝部１００に挿入した後に、太陽電池モジュール１０の第２端部１０ｓｅを保持具３３の第２溝部２００に挿入することができる。そして、太陽電池モジュール１０が保持具３２の第１溝部１００および保持具３３の第２溝部２００に挿入された状態では、第１距離Ｄ１が第２距離Ｄ２よりも長いため、太陽電池モジュール１０が、保持具ユニット３０ｂによって安定的に保持され得る。なお、ここでは、一例として、保持具ユニット３０ｂについて説明したが、保持具ユニット３０ａ，３０ｃ，３０ｄにおいても、保持具ユニット３０ｂと同様な構成が採用されればよい。
【００４８】
ここで、太陽電池装置１では、各太陽電池モジュール１０の第１主面１０ｆｓ側において、枠体１８のうちの第１端部１０ｆｅ側に位置する部分が第１溝部１００内に格納されていれば、第１主面１０ｆｓにおいて発電に供する受光面積の低下が低減され得る。また、太陽電池装置１では、各太陽電池モジュール１０の第１主面１０ｆｓ側において、枠体１８のうちの第２端部１０ｓｅ側に位置する部分が第２溝部２００内に格納されていれば、第１主面１０ｆｓにおいて発電に供する受光面積の低下が低減され得る。例えば、第１主面１０ｆｓにおける枠体１８の幅が、８ｍｍ程度である場合、第１深さＤｐ１が約１８ｍｍであり、第２深さＤｐ２が約８ｍｍであるような態様が考えられる。
【００４９】
＜(１−４)太陽電池モジュールの取り付け工程＞
＜(１−４−１)保持具ユニットの取り付け工程の概略＞
屋根２上に複数の太陽電池モジュール１０が取り付けられる際には、まず、図２で示されるように、屋根２上に取付ユニット３が取り付けられる。このとき、固定部材３６が、屋根２上に配された状態で、木ネジ等の部品によって屋根２に固定される。
【００５０】
次に、図３および図４で示されたように、複数の保持具３１〜３５が、各固定部材３６のスリット部３６ＳＬが利用されて固定金具３７，３８およびネジ３９によって各固定部材３６に固定される。このとき、図１０で示されるように、太陽電池モジュール１０と同一サイズの治具１０Ｓが用いられて、各保持具ユニット３０ａ〜３０ｄにおける距離Ｄ２，Ｄ３が設定される。例えば、治具１０Ｓの一端部を第１側面部１０３に当接させるとともに、治具１０Ｓの一端部とは反対側の他端部を張出部４００上に載せつつ延在部３００に軽く当接させた状態で、保持具３２，３３が固定部材３６に固定されればよい。このようにして、各保持具３１〜３５が固定部材３６に固定されれば、各保持具ユニット３０ａ〜３０ｄにおける距離Ｄ２，Ｄ３が容易且つ精度よく設定され得る。なお、治具１０Ｓの代わりに、太陽電池モジュール１０が用いられてもよい。
【００５１】
その後、各保持具ユニット３０ａ〜３０ｄに太陽電池モジュール１０がそれぞれ取り付けられることで、屋根２上に複数の太陽電池モジュール１０が取り付けられる作業が完了する。
【００５２】
＜(１−４−２)保持具ユニットへの太陽電池モジュールの取り付け＞
各保持具ユニット３０ａ〜３０ｄに対する太陽電池モジュール１０の取り付け作業は、同様なものである。このため、ここでは、一例として、保持具ユニット３０ｂに対する太陽電池モジュール１０の取り付け作業について説明する。
【００５３】
まず、図１１で示されるように、太陽電池モジュール１０の第１端部１０ｆｅが、第１保持具としての保持具３２の第１溝部１００に挿入される。このとき、太陽電池モジュール１０が、第１端部１０ｆｅよりも第２端部１０ｓｅの方が＋Ｚ側に位置するように第１溝部１００に対して傾けられた状態で、第１溝部１００に挿入される。つまり、第１溝部１００が、太陽電池モジュール１０の第１端部１０ｆｅの第１方向Ｄｒ１に相当する＋Ｙ方向への挿入を受け付ける。また、このとき、第１端部１０ｆｅが第１側面部１０３に当接されればよい。なお、ここでは、太陽電池モジュール１０の枠体１８のうちの±Ｘ側の部分の存在により、第１前面部１０１および第１背面部１０２に透明部材１３が接触しない。これにより、透明部材１３の表面が傷つき難く、太陽電池モジュール１０における発電効率が低下し難い。
【００５４】
次に、図１２で示されるように、太陽電池モジュール１０のうちの第１背面部１０２との当接部分が支点とされて、第２端部１０ｓｅが−Ｚ方向に移動するように、太陽電池モジュール１０が若干回転される。このとき、太陽電池モジュール１０がＹ軸に対して略平行に近い状態とされることで、第２端部１０ｓｅが第２溝部２００の開口部の正面まで移動される。
【００５５】
さらに、図１３で示されるように、太陽電池モジュール１０が−Ｙ方向にずらされることで、太陽電池モジュール１０の第２端部１０ｓｅが、第２保持具としての保持具３３の第２溝部２００に挿入される。つまり、第２溝部２００が、太陽電池モジュール１０の第２端部１０ｓｅの第２方向Ｄｒ２に相当する−Ｙ方向への挿入を受け付ける。これにより、第１溝部１００に第１端部１０ｆｅが挿入され、且つ第２溝部２００に第２端部１０ｓｅが挿入された状態となる。
【００５６】
このようにして、各保持具ユニット３０ａ〜３０ｄに対して１以上の太陽電池モジュール１０が取り付けられることで、太陽電池装置１が完成する。
【００５７】
＜(１−５)一実施形態のまとめ＞
以上のように、本実施形態に係る太陽電池装置１は、太陽電池モジュール１０と第１溝部１００を含む第１保持具（例えば、保持具３２）と第２溝部２００を含む第２保持具（例えば、保持具３３）とを備えている。そして、第１溝部１００が、太陽電池モジュール１０の厚さ方向である＋Ｚ方向において、端部１０１ｅと該端部１０１ｅに対向する第１背面部１０２との間に位置する第１間隔Ｇ１を有している。この第１間隔Ｇ１は、太陽電池モジュール１０の厚みＴ１よりも大きい。また、第１溝部１００が、第１間隔Ｇ１よりも第１側面部１０３側に位置する、第１間隔Ｇ１よりも大きい第２間隔Ｇ２を有している。さらに、第１端部１０ｆｅと第２端部１０ｓｅとの間の第１距離Ｄ１は、第１前面部１０１の端部１０１ｅと第２側面部２０３との間の第２距離Ｄ２よりも長く、且つ第１側面部１０３と第２前面部２０１の端部２０１ｅとの間の第３距離Ｄ３よりも短い。
【００５８】
また、本実施形態に係る保持具ユニット３０ａ〜３０ｄは、第１溝部１００を含む第１保持具（例えば、保持具３２）と第２溝部２００を含む第２保持具（例えば、保持具３３）とを備えている。そして、第１溝部１００が、第１前面部１０１から第１背面部１０２に向けた第３方向としての−Ｚ方向において、端部１０１ｅと該端部１０１ｅに対向する第１背面部１０２との間に位置する第１間隔Ｇ１を有している。この第１間隔Ｇ１は、太陽電池モジュール１０の厚みＴ１よりも大きい。また、第１溝部１００が、第１間隔Ｇ１よりも第１側面部１０３側に位置する、第１間隔Ｇ１よりも大きい第２間隔Ｇ２を有している。さらに、第１方向Ｄｒ１における端部１０１ｅから第１側面部１０３までの第１溝部１００における第１深さＤｐ１は、第２方向Ｄｒ２における端部２０１ｅから第２側面部２０３までの第２溝部２００における第２深さＤｐ２よりも大きい。
【００５９】
上記構成によれば、第１保持具（例えば保持具３２）および第２保持具（例えば保持具３３）が比較的簡易な構造を有する。このため、第１保持具および第２保持具の小型化によって、省資源が図られるとともに、太陽電池装置１において太陽電池モジュール１０が配されていない領域が低減されて受光面積の拡大による発電効率の上昇が図られる。また、図１１から図１３で示された簡単な作業工程によって太陽電池モジュール１０が屋根２等に取り付けられ得る。このため、太陽電池モジュール１０の取り付け作業の容易化が図られる。さらに、太陽電池モジュール１０のうちの簡易で頑丈な枠体１８の部分が、第１溝部１００および第２溝部２００によって保持される。このため、太陽電池装置１における耐荷重が確保され得る。
【００６０】
＜(２)変形例＞
＜(２−１)第１変形例＞
上記一実施形態では、第１前面部１０１が平板状であったが、これに限られない。例えば、第１前面部１０１に、端部１０１ｅと第１側面部１０３側の基部１０１ｂとの間の部分において、第１前面部１０１から第１背面部１０２に向けた第３方向としての−Ｚ方向に突出している第１突起部１０１ｐが設けられてもよい。
【００６１】
具体的には、例えば、図１４で示されるように、保持具３１〜３５が、第１前面部１０１が、第１突起部１０１ｐを含む第１前面部１０１Ａに置換された本変形例に係る保持具３１Ａ〜３５Ａにそれぞれ変更されてもよい。この変更に伴い、第１溝部１００が本変形例に係る第１溝部１００Ａに変更される。また、保持具ユニット３０ａ〜３０ｄおよび太陽電池装置１が、本変形例に係る保持具ユニット３０ａＡ〜３０ｄＡおよび太陽電池装置１Ａにそれぞれ変更される。
【００６２】
なお、第１突起部１０１ｐの−Ｚ方向における高さは、第１突起部１０１ｐと第１背面部１０２との間隔が太陽電池モジュール１０の厚みＴ１よりも大きく、且つ第１端部１０ｆｅが第１側面部１０３に当接するまで第１溝部１００Ａに挿入され得る高さであればよい。
【００６３】
この場合には、第１背面部１０２が、第１突起部１０１ｐに対向する部分から端部１０２ｅまでの間において、第１突起部１０１ｐの突出方向である−Ｚ方向に弾性変形する弾性部１０２ＥＬを含む第１背面部１０２Ａに変更されればよい。ここでは、例えば、−Ｚ方向において弾性部１０２ＥＬが弾性変形し得る距離は、第１突起部１０１ｐの−Ｚ方向における高さ以上であればよい。なお、図１４では、弾性部１０２ＥＬが、傾斜部１０２ｓと第２平坦部１０２ｔとを含んでいる例が挙げられている。
【００６４】
そして、図１５で示されるように、第２前面部２０１の端部２０１ｅと第１突起部１０１ｐとの間の距離（第４距離とも言う）Ｄ４は、太陽電池モジュール１０の第１端部１０ｆｅと第２端部１０ｓｅとの間の第１距離Ｄ１未満であればよい。また、第２側面部２０３と第１突起部１０１ｐとの間の距離（第５距離とも言う）Ｄ５は、第１距離Ｄ１以上であればよい。
【００６５】
このような構成が採用されることで、第２側面部２０３と第１突起部１０１ｐとの間に、太陽電池モジュール１０を嵌め込むことが可能となる。このとき、第１突起部１０１ｐが、太陽電池モジュール１０が＋Ｙ方向が過度にずれることを抑制するストッパーとして働く。このため、太陽電池モジュール１０が第２溝部２００から外れてしまう不具合が生じ難い。
【００６６】
ここで、各保持具ユニット３０ａＡ〜３０ｄＡに対する太陽電池モジュール１０の取り付け作業について説明する。ここでは、一例として、保持具ユニット３０ｂＡのうちの保持具３２Ａに対する太陽電池モジュール１０の取り付け作業について説明する。
【００６７】
まず、図１６で示されるように、太陽電池モジュール１０の第１端部１０ｆｅが、第１保持具としての保持具３２Ａの第１溝部１００Ａに挿入される。このとき、太陽電池モジュール１０が、第１端部１０ｆｅよりも第２端部１０ｓｅの方が＋Ｚ側に位置するように第１溝部１００Ａに対して傾けられた状態で、第１端部１０ｆｅが第１溝部１００Ａに挿入される。これにより、太陽電池モジュール１０が、内部空間１００ＩＳのうちの第１突起部１０１ｐの−Ｚ側の領域から第１側面部１０３にかけた領域に配される。
【００６８】
次に、図１７で示されるように、太陽電池モジュール１０のうちの第１背面部１０２との当接部分が支点とされて、第２端部１０ｓｅが−Ｚ方向に移動するように、太陽電池モジュール１０が若干回転される。そして、太陽電池モジュール１０が、第１突起部１０１ｐに当接すると、太陽電池モジュール１０のうちの第１突起部１０１ｐとの当接部分が支点とされて、第２端部１０ｓｅが−Ｚ方向に移動するように、太陽電池モジュール１０が若干回転される。このとき、第１背面部１０２Ａの弾性部１０２ＥＬが、太陽電池モジュール１０の第２主面１０ｓｓによって押下されることで、−Ｚ方向に弾性変形する。そして、太陽電池モジュール１０がＹ軸に対して略平行に近い状態とされることで、図１２で示されたように、第２端部１０ｓｅが第２溝部２００の開口部の正面まで移動される。
【００６９】
さらに、図１８で示されるように、太陽電池モジュール１０が−Ｙ方向にずらされる。このとき、太陽電池モジュール１０の第１端部１０ｆｅが第１突起部１０１ｐの−Ｙ側までずらされると、太陽電池モジュール１０の第２主面１０ｓｓに弾性部１０２ＥＬによる＋Ｚ方向の弾性力が作用することで、太陽電池モジュール１０が＋Ｚ側に若干シフトする。このとき、図１３で示されたように、太陽電池モジュール１０の第２端部１０ｓｅが、第２溝部２００に挿入される。これにより、第１溝部１００Ａに第１端部１０ｆｅが挿入され、且つ第２溝部２００に第２端部１０ｓｅが挿入された状態となる。
【００７０】
そして、この状態では、太陽電池モジュール１０の第１端部１０ｆｅは、第１溝部１００Ａにおいて第１側面部１０３から離れている。また、図１４で示されるように、第１突起部１０１ｐは、端部１０１ｅと第１側面部１０３側の基部１０１ｂとの間の部分において、第１主面１０ｆｓの仮想的な延長面よりも第１背面部１０２側に突出している。
【００７１】
このようにして、各保持具ユニット３０ａＡ〜３０ｄＡに対して１以上の太陽電池モジュール１０が取り付けられることで、太陽電池装置１Ａが完成する。
【００７２】
上述したように、本変形例に係る太陽電池装置１Ａについては、第１突起部１０１ｐの存在によって、太陽電池モジュール１０が各保持具ユニット３０ａＡ〜３０ｄＡから外れ難い。なお、各保持具ユニット３０ａＡ〜３０ｄＡにおいて、第１保持具（例えば保持具３２）が軒側に設けられ、第２保持具（例えば保持具３３）が棟側に設けられても構わない。
【００７３】
＜（２−２）第２変形例＞
上記一実施形態および上記第１変形例では、第１背面部１０２の第２平坦部１０２ｔが平板状であったが、これに限られない。例えば、第２平坦部１０２ｔの−Ｙ側の端部１０２ｅに、第２平坦部１０２ｔから＋Ｚ方向に突出している第２突起部１０２ｐが設けられてもよい。この場合には、太陽電池モジュール１０が、枠体１８の第２主面１０ｓｓを成す部分の第１端部１０ｆｅ側の領域に凹部１８ａが設けられた太陽電池モジュール１０Ｂに変更される。
【００７４】
具体的には、例えば、図１９から図２１で示されるように、保持具３１〜３５が、本変形例に係る保持具３１Ｂ〜３５Ｂにそれぞれ変更されてもよい。この変更では、第１背面部１０２が第２突起部１０２ｐを含む第１背面部１０２Ｂに置換される。また、この変更に伴い、保持具ユニット３０ａ〜３０ｄ、太陽電池モジュール１０および太陽電池装置１が、本変形例に係る保持具ユニット３０ａＢ〜３０ｄＢ、太陽電池モジュール１０Ｂおよび太陽電池装置１Ｂにそれぞれ変更される。
【００７５】
ここで、一例として、第１保持具としての保持具３２Ｂと第２保持具としての保持具３３Ｂとを含む保持具ユニット３０ｂＢについて説明する。本変形例では、例えば、太陽電池モジュール１０Ｂにおける第１端部１０ｆｅと凹部１８ａとの距離は、保持具３２Ｂの第１側面部１０３と第１背面部１０２Ｂの端部１０２ｅとの距離よりも短ければよい。また、太陽電池モジュール１０Ｂにおける第２端部１０ｓｅと凹部１８ａとの距離は、保持具３３Ｂにおける第２溝部２００の第２側面部２０３と保持具３２Ｂの第２突起部１０２ｐとの距離と略同一であればよい。この場合には、太陽電池モジュール１０Ｂの第１端部１０ｆｅが保持具３２Ｂの第１溝部１００に挿入され、太陽電池モジュール１０Ｂの第２端部１０ｓｅが保持具３３Ｂの第２側面部２０３に当接している状態で、第２突起部１０２ｐが凹部１８ａと係合する。
【００７６】
このような構成が採用される場合には、まず、図１９で示されるように、太陽電池モジュール１０Ｂの第１端部１０ｆｅが、保持具３２Ｂの第１溝部１００に挿入される。このとき、太陽電池モジュール１０Ｂが、第１端部１０ｆｅよりも第２端部１０ｓｅの方が＋Ｚ側に位置するように第１溝部１００に対して傾けられた状態で、第１端部１０ｆｅが第１溝部１００に挿入される。次に、図２０で示されるように、太陽電池モジュール１０Ｂのうちの第１背面部１０２Ｂとの当接部分が支点とされて、第２端部１０ｓｅが−Ｚ方向に移動するように、太陽電池モジュール１０Ｂが若干回転される。このとき、太陽電池モジュール１０の第２主面１０ｓｓによって第２突起部１０２ｐが押下され、第１背面部１０２Ｂの弾性部１０２ＥＬが−Ｚ方向に弾性変形する。そして、太陽電池モジュール１０ＢがＹ軸に対して略平行に近い状態とされることで、図１２で示されたように、第２端部１０ｓｅが第２溝部２００の開口部の正面まで移動される。さらに、図２１で示されるように、太陽電池モジュール１０Ｂが−Ｙ方向にずらされて、太陽電池モジュール１０Ｂの第２端部１０ｓｅが保持具３３Ｂの第２側面部２０３に当接する。このとき、例えば、弾性部１０２ＥＬによる＋Ｚ方向の弾性力によって第２突起部１０２ｐが＋Ｚ方向に変位するように第１背面部１０２Ｂが変形し、第２突起部１０２ｐが凹部１８ａと係合する。これにより、第２突起部１０２ｐが、太陽電池モジュール１０Ｂが＋Ｙ方向が過度にずれることを抑制するストッパーとして働く。このため、太陽電池モジュール１０Ｂが第２溝部２００から外れてしまう不具合が生じ難い。
【００７７】
＜（２−３）第３変形例＞
また、上記一実施形態、上記第１変形例および上記第２変形例では、太陽電池モジュール１０，１０Ｂの第２主面１０ｓｓに凸部が設けられていなかったが、これに限らない。例えば、太陽電池モジュール１０，１０Ｂの第２主面１０ｓｓに凸部１８ｂが設けられてもよい。この凸部１８ｂは、例えば、太陽電池モジュール１０，１０Ｂの枠体１８の第２主面１０ｓｓを成す部分の第１端部１０ｆｅ側の領域に設けられればよい。
【００７８】
具体的には、例えば、図２２から図２４で示されるように、太陽電池モジュール１０が、枠体１８の第２主面１０ｓｓを成す部分の第１端部１０ｆｅ側の領域に凸部１８ｂが設けられた太陽電池モジュール１０Ｃに変更されてもよい。この場合には、保持具３１〜３５が、例えば、第１背面部１０２が−Ｚ方向に弾性変形する弾性部１０２ＥＬを含む第１背面部１０２Ａに変更された保持具３１Ｃ〜３５Ｃにそれぞれ変更されてもよい。この変更に伴い、保持具ユニット３０ａ〜３０ｄ、太陽電池モジュール１０および太陽電池装置１が、本変形例に係る保持具ユニット３０ａＣ〜３０ｄＣ、太陽電池モジュール１０Ｃおよび太陽電池装置１Ｃにそれぞれ変更される。
【００７９】
ここで、一例として、第１保持具としての保持具３２Ｃと第２保持具としての保持具３３Ｃとを含む保持具ユニット３０ｂＣについて説明する。本変形例では、例えば、太陽電池モジュール１０Ｃにおける第１端部１０ｆｅと凸部１８ｂとの距離は、保持具３２Ｃの第１側面部１０３と第１背面部１０２Ａの端部１０２ｅとの距離よりも短ければよい。また、太陽電池モジュール１０Ｃにおける第２端部１０ｓｅと凸部１８ｂとの距離は、保持具３３Ｃにおける第２溝部２００の第２側面部２０３と保持具３２Ｃにおける第１背面部１０２Ａの端部１０２ｅとの距離よりも短ければよい。また、太陽電池モジュール１０Ｃにおける第２端部１０ｓｅと凸部１８ｂとの距離は、保持具３３Ｃにおける第２背面部２０２の端部２０２ｅと保持具３２Ｃにおける第１背面部１０２Ａの端部１０２ｅとの距離よりも長ければよい。この場合には、図２２で示されるように、太陽電池モジュール１０Ｃの第１端部１０ｆｅが第１側面部１０３と接している際に、凸部１８ｂは第１背面部１０２Ａの端部１０２ｅよりも第１側面部１０３に近接した位置に配置される。そして、図２４で示されるように、太陽電池モジュール１０Ｃの第２端部１０ｓｅが保持具３３Ｃにおける第２溝部２００の第２側面部２０３と接している際には、凸部１８ｂは第１平面部１０２Ａの端部１０２ｅよりも第１側面部１０３から離れた位置に配置される。
【００８０】
このような構成が採用される場合には、まず、図２２で示されるように、太陽電池モジュール１０Ｃの第１端部１０ｆｅが、保持具３２Ｃの第１溝部１００に挿入される。このとき、太陽電池モジュール１０Ｃが、第１端部１０ｆｅよりも第２端部１０ｓｅの方が＋Ｚ側に位置するように第１溝部１００に対して傾けられた状態で、第１端部１０ｆｅが第１溝部１００に挿入される。次に、図２３で示されるように、太陽電池モジュール１０Ｃのうちの第１背面部１０２Ａとの当接部分が支点とされて、第２端部１０ｓｅが−Ｚ方向に移動するように、太陽電池モジュール１０Ｃが若干回転される。このとき、太陽電池モジュール１０Ｃの第２主面１０ｓｓに設けられた凸部１８ｂによって第１背面部１０２Ａが押下され、第１背面部１０２Ａの弾性部１０２ＥＬが−Ｚ方向に弾性変形する。そして、太陽電池モジュール１０ＣがＹ軸に対して略平行に近い状態とされることで、図１２で示されたように、第２端部１０ｓｅが第２溝部２００の開口部の正面まで移動される。さらに、図２４で示されるように、太陽電池モジュール１０Ｃが−Ｙ方向にずらされて、太陽電池モジュール１０Ｃの第２端部１０ｓｅが保持具３３Ｃの第２側面部２０３に当接する。このとき、例えば、凸部１８ｂが端部１０２ｅよりも−Ｙ方向にずれ、弾性部１０２ＥＬによる＋Ｚ方向の弾性力によって第１背面部１０２Ａの端部１０２ｅが＋Ｚ方向に変位するように第１背面部１０２Ａが変形する。その結果、端部１０２ｅが、第２主面１０ｓｓに当接するか又は第２主面１０ｓｓの近傍に位置するように、凸部１８ｂのＹ方向に入り込み、凸部１８ｂが端部１０２ｅの近傍に位置するようになる。これにより、凸部１８ｂが、太陽電池モジュール１０Ｃが＋Ｙ方向が過度にずれることを抑制するストッパーとして働く。このため、太陽電池モジュール１０Ｃが第２溝部２００から外れてしまう不具合が生じ難い。
【００８１】
なお、第１背面部１０２Ａの剛性が高く、第１背面部１０２Ａにおける弾性変形が生じ難い場合には、図２５で示されるように、第１背面部１０２ＡにＹ方向に延びるスリット１０２ｑが設けられてもよい。この場合には、第１背面部１０２Ａの剛性が低下して、凸部１８ｂによって第１背面部１０２Ａが押下される際に、第１背面部１０２Ａの弾性部１０２ＥＬが−Ｚ方向に弾性変形し易い。その結果、太陽電池モジュール１０Ｃの取り付け作業が容易となる。なお、スリット１０２ｑは、第１背面部１０２Ａの複数箇所に設けられていてもよい。
【００８２】
＜(２−４)その他の変形例＞
例えば、上記一実施形態および上記各変形例では、屋根２上に太陽電池装置１，１Ａ〜１Ｃが設けられたが、これに限られない。例えば、各種構造物上に太陽電池装置１，１Ａ〜１Ｃが設けられてもよい。さらに、海岸部や乾燥地帯等に設けられる所謂メガソーラー等においては、地面に対して太陽電池装置１，１Ａ〜１Ｃが直接設置されてもよい。第１保持具（例えば保持具３２）と第２保持具（例えば保持具３３）とが連結部材３６Ｅによって予め連結されていれば、太陽電池モジュール１０の取り付け作業が容易である。具体例としては、図８および図１５で示されるように、保持具ユニット３０ａ〜３０ｄ，３０ａＡ〜３０ｄＡにおいて、第１および第２保持具（例えば保持具３２，３３）がそれぞれ取り付けられる複数の固定部材３６が一体の連結部材３６Ｅに置換された態様が採用され得る。
【００８３】
また、上記一実施形態および上記各変形例に係る第１保持具としての保持具３１〜３４，３１Ａ〜３４Ａ，３１Ｂ〜３４Ｂ，３１Ｃ〜３４Ｃでは、第１間隔Ｇ１が第３間隔Ｇ３よりも−Ｚ方向に大きく、且つ第２間隔Ｇ２が第１間隔Ｇ１よりもさらに−Ｚ方向に大きかったが、これに限られない。例えば、第１間隔Ｇ１および第２間隔Ｇ２の大小関係に拘わらず、第１間隔Ｇ１および第２間隔Ｇ２が、第３間隔Ｇ３よりも−Ｚ方向に大きければよい。また、例えば、第１間隔Ｇ１と第３間隔Ｇ３とが略同一であり、且つ第２間隔Ｇ２が第１間隔Ｇ１および第３間隔Ｇ３よりも−Ｚ方向に大きくてもよい。また、例えば、第３間隔Ｇ３間隔が第１間隔Ｇ１よりも−Ｚ方向に大きく、且つ第２間隔Ｇ２が第１間隔Ｇ１よりも−Ｚ方向に大きくてもよい。すなわち、第２間隔Ｇ２は、第３間隔Ｇ３および第１間隔Ｇ１のうちの少なくとも一方の間隔よりも−Ｚ方向に大きければよい。以上のような構成によっても、上記一実施形態および上記一変形例と同様な効果が得られる。
【００８４】
なお、上記一実施形態および各種変形例をそれぞれ構成する全部または一部を、適宜、矛盾しない範囲で組み合わせ可能であることは、言うまでもない。
【符号の説明】
【００８５】
１，１Ａ〜１Ｃ  太陽電池装置
２  屋根
３  取付ユニット
１０，１０Ｂ，１０Ｃ  太陽電池モジュール
１０ｆｅ  第１端部
１０ｆｓ  第１主面
１０ｓｅ  第２端部
１０ｓｓ  第２主面
１００，１００Ａ  第１溝部
１０１，１０１Ａ  第１前面部
１０１ｂ  基部
１０１ｅ，１０２ｅ，２０１ｅ，２０２ｅ  端部
１０１ｐ  第１突起部
１０２，１０２Ａ，１０２Ｂ  第１背面部
１０２ＥＬ  弾性部
１０２ｓ  傾斜部
１０３  第１側面部
２００，２００Ａ  第２溝部
２０１  第２前面部
２０２  第２背面部
２０３  第２側面部
３０ａ〜３０ｄ，３０ａＡ〜３０ｄＡ，３０ａＢ〜３０ｄＢ，３０ａＣ〜３０ｄＣ  保持具ユニット
３１〜３５，３１Ａ〜３５Ａ，３１Ｂ〜３５Ｂ，３１Ｃ〜３５Ｃ  保持具
３６  固定部材
３６Ｅ  連結部材
３００  延在部
４００  張出部
Ｄ１〜Ｄ５  第１〜５距離
Ｄｒ１  第１方向
Ｄｒ２  第２方向
Ｇ１〜Ｇ３  第１〜３間隔
【図１】
2013180275.tif 000003
【図２】
2013180275.tif 000004
【図３】
2013180275.tif 000005
【図４】
2013180275.tif 000006
【図５】
2013180275.tif 000007
【図６】
2013180275.tif 000008
【図７】
2013180275.tif 000009
【図８】
2013180275.tif 000010
【図９】
2013180275.tif 000011
【図１０】
2013180275.tif 000012
【図１１】
2013180275.tif 000013
【図１２】
2013180275.tif 000014
【図１３】
2013180275.tif 000015
【図１４】
2013180275.tif 000016
【図１５】
2013180275.tif 000017
【図１６】
2013180275.tif 000018
【図１７】
2013180275.tif 000019
【図１８】
2013180275.tif 000020
【図１９】
2013180275.tif 000021
【図２０】
2013180275.tif 000022
【図２１】
2013180275.tif 000023
【図２２】
2013180275.tif 000024
【図２３】
2013180275.tif 000025
【図２４】
2013180275.tif 000026
【図２５】
2013180275.tif 000027
【手続補正書】
【提出日】平成26年11月26日(2014.11.26)
【手続補正１】
【補正対象書類名】特許請求の範囲
【補正対象項目名】請求項１
【補正方法】変更
【補正の内容】
【請求項１】
第１端部、該第１端部の反対側に位置する第２端部、第１主面および該第１主面の裏面側の第２主面を有する太陽電池モジュールと、
該太陽電池モジュールの前記第１端部が挿入された第１溝部を含む第１保持具と、
前記太陽電池モジュールの前記第２端部が挿入された第２溝部を含む第２保持具とを備え、
前記第１溝部は、前記第１主面に対向する第１前面部と、前記第２主面に対向する第１背面部と、前記第１前面部および前記第１背面部を繋ぐ第１側面部とを含み、
前記第２溝部は、前記第１主面に対向する第２前面部と、前記第２主面に対向する第２背面部と、前記第２前面部および前記第２背面部を繋ぐ第２側面部とを含み、
前記第１溝部は、前記第１前面部の前記第２保持具側の端部が前記第１背面部の前記第２保持具側の端部よりも前記第１側面部側に位置しているとともに、前記太陽電池モジュールの厚さ方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有しており、
前記第２間隔は、前記第１前面部を前記第２保持具側に仮想的に延長した延長面と前記第１背面部の前記第２保持具側の端部との前記厚さ方向における第３間隔および該第３間隔よりも大きな前記第１間隔よりもさらに大きく、
前記第１端部と前記第２端部との間の第１距離は、前記第１前面部の前記第２保持具側の端部と前記第２側面部との間の第２距離よりも長く、且つ前記第１側面部と前記第２前面部の前記第１保持具側の端部との間の第３距離よりも短い太陽電池装置。
【手続補正２】
【補正対象書類名】特許請求の範囲
【補正対象項目名】請求項５
【補正方法】変更
【補正の内容】
【請求項５】
太陽電池モジュールの第１端部の第１方向への挿入を受け付ける第１溝部を含む第１保持具と、
前記太陽電池モジュールの前記第１端部とは反対側の第２端部の第２方向への挿入を受け付ける第２溝部を含む第２保持具とを備え、
前記第１溝部は、前記太陽電池モジュールの第１主面に対向する第１前面部と、前記第１主面の裏面側の第２主面に対向する第１背面部と、前記第１前面部および前記第１背面部を繋ぐ第１側面部とを含み、
前記第２溝部は、前記第１主面に対向する第２前面部と、前記第２主面に対向する第２背面部と、前記第２前面部および前記第２背面部を繋ぐ第２側面部とを含み、
前記第１溝部は、前記第１前面部の前記第２保持具側の端部が前記第１背面部の前記第２保持具側の端部よりも前記第１側面部側に位置しているとともに、前記第１前面部から前記第１背面部に向けた第３方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有しており、
前記第２間隔は、前記第１前面部を前記第２保持具側に仮想的に延長した延長面と前記第１背面部の前記第２保持具側の端部との前記第３方向における第３間隔および該第３間隔よりも大きな前記第１間隔よりもさらに大きく、
前記第１方向における前記第１前面部の前記第２保持具側の端部から前記第１側面部までの前記第１溝部の第１深さは、前記第２方向における前記第２前面部の前記第１保持具側の端部から前記第２側面部までの前記第２溝部の第２深さよりも大きい保持具ユニット。
【手続補正３】
【補正対象書類名】明細書
【補正対象項目名】０００８
【補正方法】変更
【補正の内容】
【０００８】
上記課題を解決するために、一態様に係る太陽電池装置は、第１端部、該第１端部の反対側に位置する第２端部、第１主面および該第１主面の裏面側の第２主面を有する太陽電池モジュールと、該太陽電池モジュールの前記第１端部が挿入された第１溝部を含む第１保持具と、前記太陽電池モジュールの前記第２端部が挿入された第２溝部を含む第２保持具とを備えている。そして、該太陽電池装置において、前記第１溝部は、前記第１主面に対向する第１前面部と、前記第２主面に対向する第１背面部と、前記第１前面部および前記第１背面部を繋ぐ第１側面部とを含んでいる。また、該太陽電池装置において、前記第２溝部は、前記第１主面に対向する第２前面部と、前記第２主面に対向する第２背面部と、前記第２前面部および前記第２背面部を繋ぐ第２側面部とを含んでいる。また、該太陽電池装置において、前記第１溝部は、前記第１前面部の前記第２保持具側の端部が前記第１背面部の前記第２保持具側の端部よりも前記第１側面部側に位置しているとともに、前記太陽電池モジュールの厚さ方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有している。また、該太陽電池装置において、前記第２間隔は、前記第１前面部を前記第２保持具側に仮想的に延長した延長面と前記第１背面部の前記第２保持具側の端部との前記厚さ方向における第３間隔および該第３間隔よりも大きな前記第１間隔よりもさらに大きい。さらに、該太陽電池装置において、前記第１端部と前記第２端部との間の第１距離は、前記第１前面部の前記第２保持具側の端部と前記第２側面部との間の第２距離よりも長く、且つ前記第１側面部と前記第２前面部の前記第１保持具側の端部との間の第３距離よりも短い。
【手続補正４】
【補正対象書類名】明細書
【補正対象項目名】０００９
【補正方法】変更
【補正の内容】
【０００９】
一態様に係る保持具ユニットは、太陽電池モジュールの第１端部の第１方向への挿入を受け付ける第１溝部を含む第１保持具と、前記太陽電池モジュールの前記第１端部とは反対側の第２端部の第２方向への挿入を受け付ける第２溝部を含む第２保持具とを備えている。そして、該保持具ユニットにおいて、前記第１溝部は、前記太陽電池モジュールの第１主面に対向する第１前面部と、前記第１主面の裏面側の第２主面に対向する第１背面部と、前記第１前面部および前記第１背面部を繋ぐ第１側面部とを含んでいる。また、該保持具ユニットにおいて、前記第２溝部は、前記第１主面に対向する第２前面部と、前記第２主面に対向する第２背面部と、前記第２前面部および前記第２背面部を繋ぐ第２側面部とを含んでいる。また、該保持具ユニットにおいて、前記第１溝部は、前記第１前面部の前記第２保持具側の端部が前記第１背面部の前記第２保持具側の端部よりも前記第１側面部側に位置しているとともに、前記第１前面部から前記第１背面部に向けた第３方向において、前記第１前面部の前記第２保持具側の端部と該端部に対向する前記第１背面部との間に位置する前記太陽電池モジュールの厚みよりも大きい第１間隔と、前記第１前面部の前記第２保持具側の端部よりも前記第１側面部側における前記第１前面部と前記第１背面部との間に位置する第２間隔とを有している。また、該保持具ユニットにおいて、前記第２間隔は、前記第１前面部を前記第２保持具側に仮想的に延長した延長面と前記第１背面部の前記第２保持具側の端部との前記第３方向における第３間隔および該第３間隔よりも大きな前記第１間隔よりもさらに大きい。さらに、該保持具ユニットにおいて、前記第１方向における前記第１前面部の前記第２保持具側の端部から前記第１側面部までの前記第１溝部の第１深さは、前記第２方向における前記第２前面部の前記第１保持具側の端部から前記第２側面部までの前記第２溝部の第２深さよりも大きい。
【国際調査報告】
2013180275.tif 000028
2013180275.tif 000029
2013180275.tif 000030
2013180275.tif 000031